【手続補正書】
【提出日】平成16年7月6日(2004.7.6)
【手続補正１】
【補正対象書類名】明細書
【補正対象項目名】発明の名称
【補正方法】変更
【補正の内容】
【発明の名称】画像処理装置および画像処理装置の制御方法およびコンピュータが読み取り可能なプログラムを格納した記憶媒体およびプログラム
【手続補正２】
【補正対象書類名】明細書
【補正対象項目名】特許請求の範囲
【補正方法】変更
【補正の内容】
【特許請求の範囲】
【請求項１】
記録媒体に印刷指定フォーマットに基づき、撮影される画像データを記録または読み出し可能な画像処理装置であって、
前記画像データを記録する前に、所定の印刷条件に従い印刷指定フォーマットを記録する設定手段と、
前記設定手段により設定された印刷指定フォーマットに従い、順次撮影される画像データを前記記録媒体に追加記録させる画像追加制御手段と、
を有することを特徴とする画像処理装置。
【請求項２】
前記印刷指定フォーマットは、ＤＰＯＦファイルであることを特徴とする請求項１記載の画像処理装置。
【請求項３】
前記画像追加制御手段は、追加対象となる撮像画像に対して、前記設定手段で設定された印刷指定フォーマットの印刷条件を設定して、前記記録媒体に画像を追加記録することを特徴とする請求項１記載の画像処理装置。
【請求項４】
前記印刷指定フォーマットは、既存のものから選ばれるか、或いは新規作成されるかを選択可能とすることを特徴とする請求項１記載の画像処理装置。
【請求項５】
前記画像追加制御手段は、追加対象となる撮像画像に対して、選択された異なるカテゴリに属する複数の印刷指定フォーマットの印刷条件を設定可能とすることを特徴とする請求項３記載の画像処理装置。
【請求項６】
前記画像追加制御手段は、前記各カテゴリに属するものをそれぞれ選択された場合に、印刷指定フォーマットが設定されている各ファイルに対して自動的に画像を追加することを特徴とする請求項５記載の画像処理装置。
【請求項７】
前記印刷指定フォーマットは、ＤＰＯＦファイル中のジョブ単位に選択可能とすることを特徴とする請求項１記載の画像処理装置。
【請求項８】
記録媒体に印刷指定フォーマットに基づき、撮影される画像データを記録または読み出し可能な画像処理装置の制御方法であって、
前記画像データを記録する前に、所定の印刷条件に従い印刷指定フォーマットを記録する設定ステップと、
前記設定ステップにより設定された印刷指定フォーマットに従い、順次撮影される画像データを前記記録媒体に追加記録させる画像追加制御ステップと、
を有することを特徴とする画像処理装置の制御方法。
【請求項９】
前記印刷指定フォーマットは、ＤＰＯＦファイルであることを特徴とする請求項８記載の画像処理装置の制御方法。
【請求項１０】
前記画像追加制御ステップは、追加対象となる撮像画像に対して、前記設定ステップで設定された印刷指定フォーマットの印刷条件を設定して、前記記録媒体に画像を追加記録することを特徴とする請求項８記載の画像処理装置の制御方法。
【請求項１１】
前記印刷指定フォーマットは、既存のものから選ばれるか、或いは新規作成されるかを選択可能とすることを特徴とする請求項８記載の画像処理装置の制御方法。
【請求項１２】
前記画像追加制御ステップは、追加対象となる撮像画像に対して、選択された異なるカテゴリに属する複数の印刷指定フォーマットの印刷条件を設定可能とすることを特徴とする請求項８記載の画像処理装置の制御方法。
【請求項１３】
前記画像追加制御ステップは、前記各カテゴリに属するものをそれぞれ選択された場合に、印刷指定フォーマットが設定されている各ファイルに対して自動的に画像を追加することを特徴とする請求項１２記載の画像処理装置の制御方法。
【請求項１４】
前記印刷指定フォーマットは、ＤＰＯＦファイル中のジョブ単位に選択可能とすることを特徴とする請求項８記載の画像処理装置の制御方法。
【請求項１５】
請求項８〜１４のいずれかに記載の画像処理装置の制御方法を実行させるためのプログラムを格納したことを特徴とするコンピュータが読み取り可能な記憶媒体。
【請求項１６】
請求項８〜１４のいずれかに記載の画像処理装置の制御方法を実行させることを特徴とするプログラム。
【手続補正３】
【補正対象書類名】明細書
【補正対象項目名】０００１
【補正方法】変更
【補正の内容】
【０００１】
【発明の属する技術分野】
本発明は、記録媒体に印刷指定フォーマットに基づき、撮影される画像データを記録または読み出し可能な画像処理装置および画像処理装置の制御方法およびコンピュータが読み取り可能なプログラムを格納した記憶媒体およびプログラムに関するものである。
【手続補正４】
【補正対象書類名】明細書
【補正対象項目名】０００５
【補正方法】変更
【補正の内容】
【０００５】
本発明は、上記の問題点を解決するためになされたもので、本発明の目的は、記録媒体に画像自動印刷指定フォーマットに基づき、撮影される画像データを記録または読み出し可能な画像処理装置において、前記画像データを記録する前に、所定の印刷条件に従い画像自動印刷指定フォーマットを記録しておき、該設定された画像自動印刷指定フォーマットに従い、順次撮影される画像データを前記記録媒体に追加記録させるように制御することにより、ユーザは画像を撮影する前に一度だけ印刷属性の指定を行えば、その後、撮影された画像は自動的にＤＰＯＦファイルへ追加されているため、何ら印刷すべき画像データの指定等の操作を後指示することが不要となり、ファイル作成作業を大幅に簡略化できるとともに、印刷指定されている画像データを速やかに印刷処理することができる画像処理装置および画像処理装置の制御方法およびコンピュータが読み取り可能なプログラムを格納した記憶媒体およびプログラムを提供することである。
【手続補正５】
【補正対象書類名】明細書
【補正対象項目名】０００６
【補正方法】変更
【補正の内容】
【０００６】
また、ＤＰＯＦファイルの作成機能として、上記自動作成モードを使うのか、或いは従来例で示した様な後作成モードを使うのかを選択することにより、ＤＰＯＦ対象を特定せずに撮影だけ行い、後で選択する自由度を残すことができる操作性と利便性に優れたファイル管理を行うことができる画像処理装置および画像処理装置の制御方法およびコンピュータが読み取り可能なプログラムを格納した記憶媒体およびプログラムを提供することである。
【手続補正６】
【補正対象書類名】明細書
【補正対象項目名】００２０
【補正方法】変更
【補正の内容】
【００２０】
本発明に係る第１４の発明は、前記印刷指定フォーマットは、ＤＰＯＦファイル中のジョブ単位に選択可能とするものである。
本発明に係る第１５の発明は、第８〜第１４の発明の画像処理装置の制御方法を実行させるためのプログラムをコンピュータが読み取り可能な記憶媒体に格納したものである。
本発明に係る第１６の発明は、第８〜第１４の発明の画像処理装置の制御方法を実行させるプログラムである。
【手続補正７】
【補正対象書類名】明細書
【補正対象項目名】００９８
【補正方法】変更
【補正の内容】
【００９８】
【発明の効果】
以上説明したように、本発明によれば、記録媒体に画像自動印刷指定フォーマットに基づき、撮影される画像データを記録または読み出し可能な画像処理装置において、前記画像データを記録する前に、所定の印刷条件に従い画像自動印刷指定フォーマットを記録しておき、該設定された画像自動印刷指定フォーマットに従い、順次撮影される画像データを前記記録媒体に追加記録させるように制御するので、ユーザは画像を撮影する前に一度だけ印刷属性の指定を行えば、その後、撮影された画像は自動的にＤＰＯＦファイルへ追加されているため、何ら印刷すべき画像データの指定等の操作を後指示することが不要となり、ファイル作成作業を大幅に簡略化できるとともに、印刷指定されている画像データを速やかに印刷処理することができる。